(57)【要約】      （修正有）【課題】冷却部位に固定し易く、安定的に使用できる冷却具を提供する。【解決手段】冷却材を袋に入れて身体を冷却する冷却具１は、本体と、該本体を身体に固定するための複数の抱持体１３と、を有している。内部に冷却材を封入可能な袋状の冷却具であり、略扁平楕円体形状を有する本体１１と、該本体１１に形成される内部に冷却材を投入するための開口１２と、本体の長径の周縁部から突出する指状突起である抱持体１３とを有している。本体１１と抱持体１３は、一体に形成された袋体であり、内部が相互に連通している。ここでは抱持体１３は、周縁部の対向する位置に３本ずつ、計６本が形成される突起状の突起袋である。これにより、利用者の身体を抱えこむようにして、本体１１を固定できるようになっている。【選択図】図１
0003168443.tif 000002
【実用新案登録請求の範囲】
【請求項１】
冷却材を袋に入れて身体を冷却する冷却具において、
本体袋と、
前記本体袋から突出する複数の突起袋と、を有していること
を特徴とする冷却具。
【請求項２】
請求項１に記載の冷却具であって、
前記本体袋は、冷却材を投入する投入穴を有していること
を特徴とする冷却具。
【請求項３】
請求項１または２に記載の冷却具であって、
前記投入穴に、螺子によって蓋をするキャップを有していること
を特徴とする冷却具。
【請求項４】
請求項３に記載の冷却具であって、
前記キャップは、紐を通す穴を有していること
を特徴とする冷却具。
【請求項５】
請求項１から４のいずれか一項に記載の冷却具であって、
前記突起袋は、湾曲して設けられていること
を特徴とする冷却具。
【請求項６】
請求項１から５のいずれか一項に記載の冷却具であって、
前記本体袋及び前記突起袋は、表面に吸盤状の凹みを有していること
を特徴とする冷却具。
【請求項７】
請求項１から６のいずれか一項に記載の冷却具であって、
前記突起袋は、補強リブ、又は骨材を有していること
を特徴とする冷却具。
【請求項８】
請求項１から７のいずれか一項に記載の冷却具であって、
前記本体袋は、押し込むことで内部に陥入し、内圧を高める調整弁を有していること
を特徴とする冷却具。
【請求項９】
請求項１から８のいずれか一項に記載の冷却具であって、
前記本体袋及び前記突起袋は、ニトリルゴムで形成されていること
を特徴とする冷却具。
【請求項１０】
請求項１から９のいずれか一項に記載の冷却具であって、
前記本体袋及び前記突起袋は、ゴム、合成樹脂、シリコンゴム、及びエラストマーのうちの何れかで形成されていること
を特徴とする冷却具。
【請求項１１】
請求項１から１０のいずれか一項に記載の冷却具であって、
頭、顔、首、肩、腕、足、胸、おなか、及び指の少なくとも何れかの冷却用であること
を特徴とする冷却具。
【請求項１２】
請求項１から１１のいずれか一項に記載の冷却具であって、
前記本体袋及び前記突起袋を覆うカバーを、さらに有していること
を特徴とする冷却具。
【考案の詳細な説明】
【技術分野】
【０００１】
本考案は、冷却に用いる冷却具に関する。
【背景技術】
【０００２】
現在、身体を冷やす冷却具には、氷嚢、氷水や保冷剤を用いた枕、冷感湿布などがある。これらは、発熱時に頭を冷やしたり、打撲傷等の幹部を冷やしたり、美容目的で顔を冷やしたり、暑さを和らげるために様々な部位を冷やすのに用いられる。
【０００３】
氷や水を袋体に入れて使用する氷嚢や氷枕は、内部の氷が融けるまで低温に維持されるため、気化熱を利用するタイプのものに比べると冷却能が高い。しかしながら、氷枕は頭の下に敷いて使用するため、頭以外を冷やすことができないという問題がある。一方、氷嚢では、袋体が比較的大きく形状を保ち難いため、患部に固定しづらい。よって、別途氷嚢吊りのような固定具が必要となるのが一般的である。しかしながら氷嚢吊りで吊り下げる場合、動くとすぐにずれてしまうためほとんど仰向けの状態で使用するしかなかった。
【０００４】
また、特許文献１には、固定具として帽子を利用し、炎天下での作業や運動時に頭の形に合わせた袋体を帽子に取り付ける頭部冷却用具が開示されている。しかしながら、このような頭部冷却用具では、袋体の位置は限定され頭部にしか利用することができない。
【０００５】
さらに、特許文献２には、バンドで袋体を固定する氷嚢用保持具が記載されている。しかしながら、このようなバンドで締め付けると窮屈であると共に、動きがとりにくく、部位によっては取り付けができなかった。また、取り外しにも手間がかかる。
【先行技術文献】
【特許文献】
【０００６】
【特許文献１】特開２０００−６０８９２号公報
【特許文献２】登録実用新案第３０２０８７３号公報
【考案の概要】
【考案が解決しようとする課題】
【０００７】
そこで本考案は、冷却部位に固定し易く、安定的に使用できる冷却具を提供することを目的とする。
【課題を解決するための手段】
【０００８】
上記課題を解決するために、本考案の一態様に係る冷却具は、本体と、該本体を身体に固定するための複数の抱持体と、を備えることを特徴とする。
【考案の効果】
【０００９】
本考案によれば、冷却部位に固定し易く、安定的に使用できる冷却具を提供できる。
【図面の簡単な説明】
【００１０】
【図１】（ａ）（ｂ）本考案の第一の実施形態に係る冷却具１の斜視図である。
【図２】本考案の第一の実施形態の変形例１に係る冷却具１ａの斜視図である。
【図３】本考案の第一の実施形態の変形例２に係る冷却具１ｂの斜視図である。
【図４】本考案の第一の実施形態の変形例３に係る冷却具１ｃの斜視図である。
【図５】本考案の第一の実施形態の変形例４に係る冷却具１ｄの斜視図である。
【図６】（ａ）（ｂ）（ｃ）本考案の第一の実施形態に係る冷却具の使用例を説明する説明図である。
【図７】（ａ）（ｂ）本考案の第一の実施形態に係る冷却具の使用例を説明する説明図である。
【図８】（ａ）（ｂ）本考案の第一の実施形態に係る冷却具の使用例を説明する説明図である。
【図９】（ａ）（ｂ）（ｃ）本考案の第二の実施形態に係る冷却具２の斜視図である。
【図１０】（ａ）（ｂ）本考案の第三の実施形態に係る冷却具３の斜視図である。
【図１１】本考案の第四の実施形態に係る冷却具４の斜視図である。
【図１２】本考案の第五の実施形態に係る冷却具５の斜視図である。
【図１３】本考案の第六の実施形態に係る冷却具６の斜視図である。
【図１４】本考案の第六の実施形態に係る冷却具６の斜視図である。
【考案を実施するための形態】
【００１１】
本考案の実施の形態について、以下、図に基づいて説明する。
【００１２】
＜第一の実施形態＞
図１（ａ）及び（ｂ）は、本考案の第一の実施形態に係る冷却具１の斜視図である。
【００１３】
図１（ａ）及び（ｂ）に示すように、冷却具１は、内部に冷却材を封入可能な袋状の冷却具であり、略扁平楕円体形状を有する本体１１と、本体１１に形成される内部に冷却材を投入するための開口１２と、本体の長径の周縁部から突出する指状突起である抱持体１３と、を有している。
【００１４】
本体１１と抱持体１３は、一体に形成された袋体であり、内部が相互に連通している。ここでは抱持体１３は、周縁部の対向する位置に３本ずつ、計６本が形成される突起状の突起袋である。なお、所定の３本の抱持体と、他方の３本の抱持体は、所定の位置に偏って配置され、また、横方向（矢視方向Ａ）から見た場合に全体が略Ｃ字状となるように所定の方向に湾曲するよう成形されている。これにより、利用者の身体を抱えこむようにして、本体１１を固定できるようになっている。
【００１５】
開口１２は、内部に冷却材を封入可能な大きさを有し、その周囲はフランジ状に広がるように形成されている。これにより、図１（ｂ）に示すように、開口１２をクリップ等で封止することができる。冷却材としては、氷や水の他、冷やして或いは凍らせて使用することが可能なゲル剤等が挙げられる。なお、開口１２の周辺部は、破れにくいように厚く加工されているのが望ましい。また、抱持体１３は、氷が入り込まず水のみが流れ込む程度の太さに成形されていてもよい。
【００１６】
このような冷却具１は例えば、弾性素材を成形加工することで得られる。弾性素材としては例えば、ニトリルゴムやラテックス等の高分子材料が挙げられる。特にニトリルゴムは耐熱性に優れ、適度な硬度を有し、平均的に伸び易い。このため形状が維持され易く、また、膨らみ易いため適している。
【００１７】
このような冷却具１は、Ｃ字形状の内側に冷却位置を抱き込ませるようにして利用することが可能である。利用方法については、後述する。
【００１８】
次に、このような冷却具１の変形例について説明する。なお、以下の各変形例では、前実施形態と同じ部分については同じ符号を付して、その詳細な説明を省略する。
【００１９】
＜変形例１＞
図２は、本考案の変形例１に係る冷却具１ａの斜視図である。本例に係る冷却具１ａは、冷却具１とほぼ同じ構成であるが、本体１１及び抱持体１３の上面に、一連の凹状或いは凸状の補強リブ１４が形成されている。これは、例えば他の部分より膜厚を厚くする成形加工を行うことで得られる。これにより、冷却具１ａは、より略Ｃ字形状を維持し易くなり、強度が高まる。
【００２０】
＜変形例２＞
図３は、本考案の変形例２に係る冷却具１ｂの斜視図である。本例に係る冷却具１ｂは、冷却具１ａとほぼ同じ構成であるが、本体１１及び抱持体１３に吸盤１５が形成され、開口１２が螺子構造によってキャップ１６を固定する形状となっている点で異なる。
【００２１】
吸盤１５は、本体１１及び抱持体１３の下面（Ｃ字形状の内側）に複数個形成されている。このような吸盤１５を冷却部位に吸着させることで、より固定されやすくなる。これにより、タコのような形態となり、面白味のあるものとなる。
【００２２】
また、開口１２を螺子構造とすることによってキャップ１６で簡便に冷却材を封入することが可能である。なお、キャップ１６にはシーリング用の部材（Ｏリング等）を設け、液漏れが起こらない構造とすることが望ましい。
【００２３】
＜変形例３＞
図４は、本考案の変形例３に係る冷却具１ｃの斜視図である。本例は、４つの抱持体１３を有する冷却具１ｃと、冷却具１ｃを保定する保定具１７とを組み合わせたものである。
【００２４】
保定具１７は、本体１１を支持する戴置面１７ａと、抱持体１３を沿わせる複数の足部１７ｂと、本体１１及び抱持体１３を拘束する複数のバンド部１７ｃと、を有する。このような保定具１７は、例えばプラスチック等の樹脂で、足部１７ｂにより自立可能に形成されている。
【００２５】
このような冷却具１ｃは、保定具１７の足部１７ｂによって挟み込むようにして使用することで、より冷却位置に固定し易く、安定した利用が実現できる。
【００２６】
＜変形例４＞
図５は、本考案の変形例４に係る冷却具１ｄの斜視図である。本例に係る冷却具１ｄは、冷却具１とほぼ同じ構成であるが、本体１１及び抱持体１３とを補強する骨材１８を有している点で異なっている。
【００２７】
骨材１８は、例えばプラスチック等の樹脂で形成された板状の部材であり、本体１１及び抱持体１３の下面（Ｃ字形状の内側）に沿って設けられている。なお、骨材１８は、後から袋体内部に挿入しても良いし、外側から貼り付けても良い。もちろん、二重成形加工によって袋体にインサートされていてもよい。また、骨材１８に換えて、膜厚を厚くする加工を施してもよい。
【００２８】
以上、第一の実施形態に係る冷却具の変形例について説明した。なお、変形例は上記に限らず、多くの代替物、修正および変形例が当業者にとって明らかである。例えば、抱持体１３の数は、利用者の身体の一部を抱持することが可能な数、即ち少なくとも２本以上であれば、何本設けてもよい。また、その位置も、利用者の身体の一部を抱持することが可能な位置であれば、自由である。なお、上記変形例における各特徴をそれぞれ組み合わせて用いることもできる。
【００２９】
ここで、上記のような冷却具の使用方法について説明する。図６〜図８は、冷却具の使用例を説明する説明図である。
【００３０】
図６（ａ）及び図６（ｂ）は、冷却具１ｅを頭頂部、又は顔面に載せて使用する例である。このような冷却具１ｅでは、１０本程度の抱持体１３が本体１１の周縁に３６０度万遍なく形成されており、抱持体１３により利用者の頭が複数方向から均一に挟持される。よって、滑り落ちにくく、多少の動きがあっても患部から外れにくい。
【００３１】
また、図６（ａ）に示すように開口１２のフランジ部分は本体１１に陥入させることが可能であり、内圧を高めて使用することができる。なお、抱持体１３の長さは、頭頂部に載せた場合に眼前に来るものを短く形成しておくことが望ましい。また、図６（ｂ）に示すように、顔面に載せた場合に、口を覆わないよう口周りの抱持体１３は設けずともよい。
【００３２】
図６（ｃ）は、冷却具１ｆを、吊るした状態で使用する例である。このような冷却具１ｆでは、例えば、キャップ１６にひも１９やフック等を通すための貫通穴１９が形成される部材が設けられている。
【００３３】
図７（ａ）は、冷却具１ｇを首に巻きつけて、図７（ｂ）は、冷却具１ｇを肩に巻きつけて使用する例である。このような冷却具１ｇは、２本の抱持体１３が、首や肩等を抱き抱えるように挟持して固定される。なお、抱持体１３は、首や脇の下に回して固定するのに十分な長さと太さを有していることが望ましい。これにより、背や肩だけでなく頸動脈や脇下付近をも冷やすこともできる。
【００３４】
図８（ａ）及び（ｂ）は、冷却具１ｈ〜１ｌを、利用者の二の腕、手首、腹、膝、足首等に使用する例である。各冷却具は、片側２〜４本ずつ、計４〜８本の抱持体１３が、利用者の腕を挟持するようにして固定される。なお、冷却具１ｋのように、開口１２を設けずに、予めゲル剤等を詰めておいてもよい。利用者は、冷蔵庫で冷やしたり凍らせたりしておくだけで、簡便に、何度も使用することができる。
【００３５】
＜第二の実施形態＞
次に、本考案の第二の実施形態に係る冷却具２について説明する。図９（ａ）〜（ｃ）は、本考案の第二の実施形態に係る冷却具２の斜視図である。
【００３６】
図９（ａ）に示すように、冷却具２は、キャラクターの胴体に見立てた本体２１と、本体２１に冷却材を封入するための開口２２と、キャラクターの腕に見立てた抱持体２３と、を有する本体部２０ａと、キャラクターの頭部分である頭部２０ｂと、を有している。
【００３７】
本体部２０ａは、一体に形成され内部が連通する袋体である。その本体２１には、図９（ｂ）に示すように、押し込むことで陥入し内圧を調整可能な凸状の調整弁２４と、頭部２０ｂの図示しない穴に挿しこむことで、頭部２０ｂを本体部２０ａに固定するための凸状の差し込み突起２５と、が形成されている。ここでの調整弁２４は一個であるが、複数個取り付けても良い。
【００３８】
抱持体２３は、上方向（矢視方向Ｂ）から見た場合に冷却具全体が略Ｃ字状となるように所定の方向に湾曲するよう成形されている。また、その外側には凹状或いは凸状の補強リブ２６が形成されている。これにより、抱持体２３の強度が高まり、よりＣ字形状が維持され易くなる。
【００３９】
また、図９（ｃ）に示すように、冷却具２の本体２１の外部を覆うカバー２７を設けてもよい。カバー２７は、布等で構成することにより、肌が過剰に冷えたり、表面に水滴がついたりすることを防止する。ポリエステル布地や、混合した布地を使用すると結露しにくい。
【００４０】
このような冷却具２によれば、抱持体２３で利用者を挟持させることにより、あたかも抱きつくように冷却具２を固定することができる。
【００４１】
＜第三の実施形態＞
次に、本考案の第三の実施形態に係る冷却具３について説明する。図１０（ａ）は、本考案の第三の実施形態に係る冷却具３の斜視図である。
【００４２】
図１０（ａ）に示すように、冷却具３は、一体に形成され内部が連通する袋体であり、全体が凹状に窪んだ円盤状の本体３１と、その周縁部に形成される２本の対向する抱持体３３と、を有している。
【００４３】
抱持体３３は、その先端は鉤状に形成されており、該鉤状部分は互いに絡ませることで円形状となる。よって、冷却具３を利用者の体に巻き付けるようにして使用することができる。なお、一つの冷却具３で円を作ってもよいし、二つ以上を組み合わせて円を作ることもできる。これにより、冷却部位に合わせて、その円内径を調節することができる。また、本体３１は凹状に窪んだ形状をしているため、全体が直接肌に当たることがなく、過剰な冷却を防止できる。
【００４４】
なお、冷却具３には予めゲル剤等の冷却材が詰められているため、開口を設けていない構成としているが、もちろん、開口を設けて内部の冷却材を入れ替え可能としてもよい。
【００４５】
また、図１０（ｂ）に示すように、抱持体３３の先端の一方をリング状のものとしてもよい。これによれば、リングに鉤状部分を引っ掛けることで、抱持体３３同士がより外れにくくなる。
【００４６】
＜第四の実施形態＞
次に、本考案の第四の実施形態に係る冷却具４について説明する。図１１は、本考案の第四の実施形態に係る冷却具４の斜視図である。
【００４７】
図１１に示すように、冷却具４は、一体に形成され内部が連通する袋体であキャラクター（イルカ）の頭に見立てた本体４１と、キャラクターの口及び尾に見立てた抱持体４３と、キャラクターの背びれ及び胸びれに見立てた内圧を調整可能な凸状の調整弁４４と、を有する全体が略Ｃ字形状の袋体である。
【００４８】
なお、抱持体４３の先端部周辺には、ひも１９を通すための穴４５が形成されている。利用者は、ひも１９の長さを調節することにより、冷却部位に合わせて円内径を調節することができる。これにより、より体にしっかりと固定することができる。
【００４９】
＜第五の実施形態＞
次に、本考案の第五の実施形態に係る冷却具５について説明する。図１２は、本考案の第五の実施形態に係る冷却具５の斜視図である。
【００５０】
図１２に示すように、冷却具５は、キャップ１６により冷却材を封入可能な開口５２と、楕円形の当接面５４と、を有する本体５１と、２本の抱持体５３と、からなる全体がＣ字形状の袋体である。
【００５１】
当接面５４はＣ字形状の内周側に設けられており、冷却具５の抱持体５３によって利用者を挟んだ場合に、冷却部位に当接するものである。なお、当接面５４の表面には、凸状の平行なフィンで形成される滑り止め５５が形成されており、冷却部位からのずれを防止するとともに、肌の過剰な冷却を抑制する。
【００５２】
＜第六の実施形態＞
次に、本考案の第六の実施形態に係る冷却具６について説明する。図１３は、本考案の第六の実施形態に係る冷却具６の斜視図である。
【００５３】
図１３に示すように、冷却具６は、開口６２を有する本体６１と、２本の抱持体６３と、を有する全体がＣ字形状の袋体である。抱持体６３には、蛇腹形状に成形された蛇腹部６５と、互いを先端で連結するための連結部６４が設けられている。
【００５４】
連結部６４に利用できる構成は、例えば、スナップ、ボタン、マジックテープ（登録商標）、マグネットが挙げられる。これにより、抱持体６３を互いに連結し、冷却具６を利用者の体に巻き付けるようにして使用することができる。なお、一つの冷却具で円を作ってもよいし、二つ以上を組み合わせて円を作ることもできる。これにより、冷却部位に合わせて、その円内径を調節することができる。また、蛇腹部６５によって、微妙な円内径を調節することで、よりしっかりと固定することができる。
【００５５】
＜第七の実施形態＞
次に、本考案の第七の実施形態に係る冷却具７について説明する。図１４は、本考案の第七の実施形態に係る冷却具７の斜視図である。
【００５６】
図１４に示すように、冷却具７は、全体をキャラクターの頭部に見立てたリング状の袋体であり、キャラクターの耳に見立てた２つの突起７４を有する本体７１と、本体７１よりも細い径を有する抱持体７３とからなる。抱持体７３には、蛇腹形状に成形された蛇腹部７５が形成されている。
【００５７】
このようなリング状の冷却具７は、例えば頭、足、腕等を貫通穴７６に通して使用することができる。これによれば、抱持体７３が外れることがないため、より安定的に利用できる。また、蛇腹部７５によって、微妙な円内径を調節することで、よりしっかりと固定することが可能である。
【００５８】
以上、本考案の実施形態の一例について説明した。このように本考案によれば、利用者は、冷却部位に冷却具を固定し易く、安定して使用できる。
【符号の説明】
【００５９】
１−７，１ｈ-１ｌ：冷却具、１１，２１，３１，４１，５１，６１，７１：本体、１２，２２，５２，６２：開口、１３，２３，３３，４３，５３，６３，７３：抱持体、１４，２６：補強リブ、１５：吸盤、１６：キャップ、１７：保定具、１７ａ：戴置面、１７ｂ：足部、１７ｃ：バンド部、１８：骨材、１９：貫通穴、２０ａ：本体部、２０ｂ：頭部、２４，４４：調整弁、２５，７４：突起、２７：カバー、４５：穴、５４：当接面、５５：滑り止め、６４：連結部、６５，７５：蛇腹部、７６：貫通穴。
【図１】
0003168443.tif 000003
【図２】
0003168443.tif 000004
【図３】
0003168443.tif 000005
【図４】
0003168443.tif 000006
【図５】
0003168443.tif 000007
【図６】
0003168443.tif 000008
【図７】
0003168443.tif 000009
【図８】
0003168443.tif 000010
【図９】
0003168443.tif 000011
【図１０】
0003168443.tif 000012
【図１１】
0003168443.tif 000013
【図１２】
0003168443.tif 000014
【図１３】
0003168443.tif 000015
【図１４】
0003168443.tif 000016